(57)【特許請求の範囲】
【請求項１】
データの再生のみを行う第１記憶領域のピットと、データの記録及び再生を行う第２記憶領域の溝およびヘッダとを有した光ディスクを製造する光ディスク製造方法であって、
光源からの光ビームを、記録データに基づいて、光変調するプロセスと、
前記光変調された光ビームをトラック方向と直角に光偏向させるプロセスと、
前記光偏向された光ビームを成形するプロセスと、
前記成形された光ビームの開口制限を前記第１及び第２の記憶領域の間で切り換えるプロセスと、
前記開口制限された光ビームを光ディスク原盤に集光するプロセスと、
前記光ディスク原盤を回転させるプロセスと、
次いで、前記光ディスク原盤の１回転ごとに前記光変調及び光偏向の制御のタイミングを制御するプロセスとを含み、
前記光変調するプロセスにおいて、
前記第１記憶領域の各トラックの少なくとも１つのセクタの先頭が、前記第１記憶領域の他の全てのトラックのそれぞれのセクタの先頭と半径方向の少なくとも１つの直線上に並び、相互に隣接した前記第１及び第２記憶領域の各トラックのセクタ数が、前記第１記憶領域の方が前記第２記憶領域より大きくなるように前記光ビームが光変調制御され、
また、前記第２記憶領域を記録するときに比べて前記第１記憶領域を記録するときの方が開口数を大きくかつ光ビームの記録パワーが小さくなるように制御され、かつ前記第２記憶領域の溝を記録するときに比べて前記第２記憶領域のアドレス情報を含むピットを記録するときの方が光ビームの記録パワーが小さくなるようにかつ開口数を変更しないように制御され、
さらに、記録データのオン、オフのデューティ比を前記第１及び第２記憶領域で各々独立に光変調制御することを特徴とする光ディスク製造方法。
【請求項２】
前記光変調するプロセスが、前記光ビームを、前記第１記憶領域のピットを形成するための第１光ビームと前記第２記憶領域の溝およびヘッダとを形成するための第２光ビームとに分割するプロセスと、前記第１光ビームを変調するプロセスと、前記第２光ビームを変調するプロセスとからなり、
前記光ビームを光偏向するプロセスは、前記第２光ビームに対してのみ実施され、
前記光ビームを成形するプロセスは、前記第１光ビームを成形するプロセスと、前記第２光ビームを成形するプロセスとからなり、
前記集光するプロセスにおいて、前記第１光ビームと前記第２光ビームとに対してそれぞれ開口制限がなされて、前記第１光ビームと前記第２光ビームとが合成されることを特徴とする、請求項１記載の光ディスク製造方法。
【請求項３】
前記第２記憶領域に記録される記録データのオン、オフのデューティ比は、さらに、ゾーン毎に制御される、請求項１または２に記載の光ディスク製造方法。
【請求項４】
前記光ビームは、前記第２記憶部のヘッダであるアドレス情報を含むピットで構成された１つのデータの塊を２等分した前半の部分では外周方向に約半トラック分光偏向され、後半の部分では内周方向に約半トラック分光偏向され、溝を切るときには周期的に蛇行される、請求項１に記載の光ディスク製造方法。
【発明の詳細な説明】
【０００１】
【発明の属する技術分野】
本発明は、記録再生可能な領域と再生専用の固定情報が記録された領域とを共に備える光ディスクを製造するための光ディスク製造方法に関するものである。
【０００２】
【従来の技術】
近年、情報を記録できる光ディスクは、大容量のデータを保持できることから音声データ、映像データ、各種情報機器データを蓄積するものとして重要な地位を占めつつあるが、更なる大容量化が求められており、この要求を満たすためには光ディスク上の記録情報密度をさらに向上させなければならない。光ディスクの情報密度は情報トラックのピッチおよびトラック方向の情報密度すなわち情報の線密度で決まり、光ディスク上の情報密度を向上させるにはトラックピッチを狭くし、線密度を高める必要がある。
【０００３】
また、光ディスクの用途としては様々なものがある。例えば、オペレーティングシステムや基本辞書等のソフトあるいはゲーム用のソフトを供給する媒体として光ディスクを使用する場合、凹凸ピットの形態でデータが記録されている再生専用の光ディスクにすれば、大量に複製できるので光ディスクが安価となる。
【０００４】
一方、ソフト供給側で記録した再生専用のデータに対して、ユーザーがこの再生専用データに応じて所望するデータを追記または書き込みができることが要望される。従って、この要求を満たすには、１枚の光ディスクに再生専用のデータが記録された領域と、記録再生が可能な領域とを混在させる必要がある。
【０００５】
記録再生用の光ディスクによって、これを実現する場合、光ディスクを出荷する前に、凹凸状の溝トラック上に再生専用データを予め記録しておき、この記録領域を再生のみを行う領域として使用するようにすればよいが、この場合、一枚一枚のディスクに記録する必要があるので時間がかかりディスクのコストが高価となる。
【０００６】
この課題を解消するものとして、光ディスクの一部の領域に必要なデータを凹凸ピットの形態で記録し、残りの領域を記録可能とした光ディスクが提案されている（例えば特開昭６３−２０７６９号公報）。このようにすれば一枚一枚記録する必要はなく、インジェクション等の手法で大量に複製できるのでディスクのコストを安価にすることができる。
【０００７】
また、現在ＲＯＭディスクとして最もポピュラーディスクは、ＣＤあるいはＤＶＤ−ＲＯＭディスクである。これらのディスクは、大容量を達成するために、トラックをトレースするときの線速度一定で連続的に凹凸ピットを記録している。もちろん、再生するときも線速度一定となる様にディスクを回転させて再生する必要性がある。
【０００８】
ＲＯＭ部、ＲＡＭ部共存のディスクを構成する場合、ＲＯＭ部のフォーマットはＣＤあるいはＤＶＤ−ＲＯＭディスクと同じにするべきである。なぜなら、ＣＤあるいはＤＶＤ−ＲＯＭディスクしか読みとることができないドライブ装置に、間違ってこのＲＯＭ部、ＲＡＭ部共存のディスクを挿入しても、ＲＯＭ部のフォーマットが同一であれば、このディスクを認識できるためである。
【０００９】
ここで、ＣＤあるいはＤＶＤ-ＲＯＭディスクをドライブ装置で再生する方法を簡単に説明する。
【００１０】
上記ディスクの再生に際しては、リードインと呼ばれる領域にピックアップヘッドを移動し、コントロールデータとよばれるそのディスクを再生するときに必要な情報を読みとる。この読み取りを開始するまでの手順は、以下の通りである。
【００１１】
第１に、ピックアップヘッドのレンズ位置を制御してディスク表面にフォーカスをかける。第２に、トラバースメカとレンズを制御してピット列を連続して読みとれるようにトラッキングをかける。第３に、再生回路に入力される再生信号の特定の周期（例えば最長間隔）を検出して、モータの回転速度を制御する。第４に、回転変動がおさまって、線速度一定で信号を再生できるようになると、再生信号に同期したクロックを発生させ、クロックを基準にデータを読みとっていく。
【００１２】
【発明が解決しようとする課題】
しかしながら、上記のように線速度一定で連続的に凹凸ピットを記録しているＲＯＭ部を備えるＲＯＭ部、ＲＡＭ部の共存ディスクではディスクの立ち上げ時には大変多くの作業を順番にこなさなくてはデータを読みとるところまでたどり着かず、立ち上げ時間が長いという課題があった。
【００１３】
また、ＲＯＭ部は、短波長のカッティングマシーンで記録されるので、ＲＡＭ部に比べて線密度を高くすることができる。
【００１４】
これに対して、ＲＡＭ部には、記録領域と未記録領域があり、セクタＩＤが通常ヘッダとよばれるプリピットで構成されており、その中にはアドレス情報の他にＰＬＬの動作を助けるＶＦＯ信号、あるいはアドレス情報の同期信号であるアドレスマーク等が配置されていて、ＲＡＭ部の冗長度がＲＯＭ部よりも高くなっている。
【００１５】
しかしながら、ＣＤあるいはＤＶＤ-ＲＯＭディスク等の従来の光ディスクでは、ＲＯＭ部の１周内に含まれるセクタ数が、ＲＡＭ部の１周内に含まれるセクタ数と等しい。この場合、ＲＯＭ部のセクタフォーマットは、冗長度が高いＲＡＭ部のセクタフォーマットと同一になるので、ＲＯＭ部の記録密度を高くできなかった。
【００１６】
更に、従来の光ディスクでは、ＲＡＭ部においても内周から外周まで１周内に含まれるセクタ数が等しいので、内周に比べて外周の方が記録密度が低くなり、記録密度を高くすることができないという課題があった。
【００１７】
本発明は上記課題を鑑み、ディスクのフォーマットを工夫することにより、ディスク立ち上げ時間を短くすることが可能であって、かつ、大容量のＲＯＭ部及びＲＡＭ部を有する光ディスク、をカッティングするための光ディスク製造方法を提供することを目的としている。
【００１８】
【課題を解決するための手段】
上記課題を解決するために、本発明の光ディスク製造方法は、データの再生のみを行う第１記憶領域のピットと、データの記録及び再生を行う第２記憶領域の溝およびヘッダとを有した光ディスクを製造する光ディスク製造方法であって、光源からの光ビームを、記録データに基づいて、光変調するプロセスと、前記光変調された光ビームをトラック方向と直角に光偏向させるプロセスと、前記光偏向された光ビームを成形するプロセスと、前記成形された光ビームの開口制限を前記第１及び第２の記憶領域の間で切り換えるプロセスと、前記開口制限された光ビームを光ディスク原盤に集光するプロセスと、前記光ディスク原盤を回転させるプロセスと、次いで、前記光ディスク原盤の１回転ごとに前記光変調及び光偏向の制御のタイミングを制御するプロセスとを含み、前記光変調するプロセスにおいて、前記第１記憶領域の各トラックの少なくとも１つのセクタの先頭が、前記第１記憶領域の他の全てのトラックのそれぞれのセクタの先頭と半径方向の少なくとも１つの直線上に並び、相互に隣接した前記第１及び第２記憶領域の各トラックのセクタ数が、前記第１記憶領域の方が前記第２記憶領域より大きくなるように前記光ビームが光変調制御され、また、前記第２記憶領域を記録するときに比べて前記第１記憶領域を記録するときの方が開口数を大きくかつ光ビームの記録パワーが小さくなるように制御され、かつ前記第２記憶領域の溝を記録するときに比べて前記第２記憶領域のアドレス情報を含むピットを記録するときの方が光ビームの記録パワーが小さくなるようにかつ開口数を変更しないように制御され、さらに、記録データのオン、オフのデューティ比を前記第１及び第２記憶領域で各々独立に光変調制御することを特徴とする。
前記光変調するプロセスが、前記光ビームを、前記第１記憶領域のピットを形成するための第１光ビームと前記第２記憶領域の溝およびヘッダとを形成するための第２光ビームとに分割するプロセスと、前記第１光ビームを変調するプロセスと、前記第２光ビームを変調するプロセスとからなり、前記光ビームを光偏向するプロセスは、前記第２光ビームに対してのみ実施され、前記光ビームを成形するプロセスは、前記第１光ビームを成形するプロセスと、前記第２光ビームを成形するプロセスとからなり、前記集光するプロセスにおいて、前記第１光ビームと前記第２光ビームとに対してそれぞれ開口制限がなされて、前記第１光ビームと前記第２光ビームとが合成されることを特徴としてもよい。
前記第２記憶領域に記録される記録データのオン、オフのデューティ比は、さらに、ゾーン毎に制御されてもよい。
前記光ビームは、前記第２記憶部のヘッダであるアドレス情報を含むピットで構成された１つのデータの塊を２等分した前半の部分では外周方向に約半トラック分光偏向され、後半の部分では内周方向に約半トラック分光偏向され、溝を切るときには周期的に蛇行されてもよい。
【００４２】
【発明の実施の形態】
次に本発明による光ディスクについて図面を用いて説明する。
【００４３】
図１は、本発明の第１実施形態であるＲＯＭ部、ＲＡＭ部共存の光ディスクの概略図およびセクタフォーマットを示す構成図を示している。図１に示すディスク１は、内周側にＲＯＭ部、外周側にＲＡＭ部が構成されており、ＲＯＭ部２のセクタの先頭はすべて放射状に並んでいる。また、このＲＯＭ部２は予備データ部あるいはユーザデータ部を構成している。
【００４４】
図２は、ＲＯＭ部２の物理形状を示す表面図である。図２に示すようにＲＯＭ部２は凹凸のピットで構成されている。図１に示すようにＲＯＭ部２のセクタ４はセクタアドレス６とデータ部７から構成されており、セクタアドレス６にはデータブロックの位置を管理する情報が記録される。ディスク１を再生するときは、このセクタアドレス６に従って、ピックアップヘッドをシークし、所望の情報を得る。このセクターアドレス６を検索するために一般的にはシンクパターン８と呼ばれるデータには存在しない特定のバーストパターンをセクタアドレス６の直前に配置し、その信号を検出して同期をとり、セクタアドレス６を得る。
【００４５】
ＲＡＭ部３の各セクタはＲＯＭ部２と同様、ピットで構成されたヘッダ１１と記録部１２から構成されている。このヘッダ１１は１３−１、１３−２、１３−３、１３-４の４つのＩＤから構成されている。ＩＤ１〜４はアドレス情報１４と、アドレス情報１４の直前に配置されアドレス情報１４を復調するときの同期を取るアドレスマーク（ＡＭ）１５と、これを再生して同期再生クロックを発生させるＰＬＬ回路の動作を助けるためのＶＦＯ領域１６等が記録されている。記録部１２はＶＦＯ１６と、記録データ部１８やＶＦＯ１６を保護するためのガード領域１７−１、１７−２と、記録データ部１８とから構成されている。記録データ部１８はＲＯＭ部と同じフォーマットであり、セクタアドレス６とデータ部７とから構成されている。
【００４６】
この構成からもわかるように、ＲＡＭ部３は実際にユーザデータとして使用されるデータ部７以外の部分が多く、ＲＯＭ部２に比べて冗長度が高い。したがって、ＲＯＭ部２とＲＡＭ部３を同じ程度の線密度で記録した場合でも、１周当たりのセクタ数は当然ＲＯＭ部２の方が多くなる。更に、ＲＯＭ部２は、カッティングマシーンでカッティングするのでＲＡＭ部３の線密度より、かなり高密度な記録が可能である。この様な理由から、本実施形態の様に、１周当たりのセクタ数をＲＡＭ部３よりＲＯＭ部２の方が多くなるように構成することが可能であり、より高密度なディスクを実現することが出来る。
【００４７】
上記従来の技術でも述べたように、線速度一定で連続的に凹凸ピットを記録したＲＯＭ部を有するＲＯＭ部、ＲＡＭ部共存のディスクでは、ディスクの立ち上げ時には大変多くの作業を順番にこなさなくてはデータを読みとる状態にたどり着かず、立ち上げ時間が長い。
【００４８】
これに対して、本実施形態のディスクでは、コントロールデータのあるＲＯＭ部２のセクタの先頭が放射状に並んでいる。このため、ＲＯＭ部２の各セクタの再生期間を一定にするには、本実施形態のディスクを一定回転制御（ＣＡＶ制御）で回転させる必要がある。この一定回転制御は、線速度が一定となる様なモータ制御と比較すると、より短時間で立ち上げて安定化させることができる。
【００４９】
今回は、ＲＯＭ部２（リードインを含む）を内周側にして説明をしたが、外周側でも良い。また、ＲＡＭ部にリードインがあってもよい。
図１でわかるように、ＲＯＭ部２のセクタの先頭とＲＡＭ部３のセクタの先頭が１周のうち１カ所だけ揃っている。
【００５０】
図３はこのディスク１をドライブで再生するときのシークの方法を説明するタイミング図である。一般的に、ディスクをドライブで再生する場合のモータ回転制御の粗調整にはモータから発生するＦＧパルスの周期を調べて制御を行う。図３の（ａ）はモータからのＦＧパルス、（ｂ）は（ａ）のＦＧパルスを分周して生成する１周同期信号であり、ここでは１周につき６個のＦＧパルスが発生するものとする。（ｃ）はＲＯＭ部再生時のセクタアドレスのある位置を示すシンクパターンから発生した信号であり、図１からもわかるように１周につき１０個のセクタアドレスがある。
【００５１】
まず、ディスク立ち上げ時にＲＯＭ部２の一部であるコントロールデータを再生する。ＲＯＭ部２とＲＡＭ部３のセクタ４の先頭が揃っているところのコントロールデータ部でのセクタアドレス６は原盤をカッティングするときに既に決まっている。このＲＯＭ部２とＲＡＭ部３のセクタの先頭が揃っている箇所でシンクパターン８から発生した信号と、その直前のＦＧパルスとの時間差Ｔを計測して記憶しておく。
【００５２】
次に、シークするときはＲＡＭ部３のアドレス情報１４を読みながらシークするが、ＲＡＭ部３には記録されたセクタと記録されてないセクタとが混在しているので、アドレス情報１４を読みとるためにはアドレス情報１４の含まれるヘッダ１１の部分だけ”１”になるようなゲート信号が必要である。図３の（ｄ）は、前述の記憶されたＦＧパルスから、一定時間後にヘッダ部分に相当する”１”を発生させたシーク用のゲート信号である。このゲート信号によってＰＬＬ回路の動作を開始し、ＶＦＯ１６でＰＬＬを引き込んでアドレス情報１４を読みとる。例えば、再生信号のエンベロープ等でゲート信号を発生させる場合、信号によってはゲート信号の品質が非常に悪くなることがある。しかし、前述したような方法でゲート信号を発生すると、確実に１周に１回は読みとることが出来る。
【００５３】
図４は本発明の第２実施形態であるＲＯＭ部、ＲＡＭ部共存光ディスクの概略図を示している。
【００５４】
第１実施形態と違うところはＲＡＭ部３がゾーンに分かれているところである。ＲＯＭ部２は第１実施形態と同様にセクタ４の先頭が放射状に揃っている。そして、ＲＡＭ部３ではすべてのトラックにおいて１周に１回はＲＯＭ部２のセクタ４の先頭と揃っている。また、ＲＡＭ部３のデータ領域では各ゾーンに含まれるトラック数が等しくなっている。データ領域以外、例えばリードアウト領域などではその限りではない。
図５および図６は、図４のＲＡＭ部３の構成図を示している。
【００５５】
図５はヘッダ３１のアドレス情報が２組になっており、内周側あるいは外周側に１／２トラックピッチの距離をずらしている。また、このヘッダ３１のピット信号の幅は、情報記録部３２におけるグルーブ部３３およびランド部３４の幅に略等しくなるようにしている。
【００５６】
図６のヘッダ４１のアドレス情報は、グルーブ部４３とランド部４４でそれぞれ独自に持つようになっており、グルーブ部４３およびランド部４４のそれぞれほぼ中央位置に構成されている。また、ヘッダ４１のピット信号の幅は、情報記録部４２におけるグルーブ部４３およびランド部４４の幅より細くしている。
【００５７】
図５の場合も図６の場合もグルーブ部３３、４３およびランド部３４、４４はトラックのトレース方向に対して垂直方向に正弦波状にウォブルしている。このウォブルの意味は、ドライブがＲＡＭ部３の情報記録部３２あるいは４２にデータの記録を行う場合、このウォブルの周期を検出して、この検出信号に同期したクロックを生成し、このクロックに同期してデータの書き込みを行う。ウォブルはグルーブ部３３、４３およびランド部３４、４４に対して１周にわたり、ほぼ連続的に出現するので、ＰＬＬの引き込みが早く、記録時間が短縮できる。
【００５８】
図７は、図４のＲＡＭ部３の案内トラック（グルーブ部、ランド部）の構成を説明するためのディスク概略図である。
【００５９】
案内トラックはドライブで情報を記録再生するときは、光学ヘッドから出射された光ビームのスポットが特定の場所を追従できるようにするために設けられており、１回転する毎にグルーブ部（実線）、ランド部（点線）が切り替わるような構成になっている。また、グルーブ部（実線）、ランド部（点線）の両方に情報を記録することができる。この図７で示している案内トラックはスパイラル状であるが、同心円上であっても構わないし、スパイラルの方向が逆であっても良い。
【００６０】
図８は図５のヘッダ３１および情報記録部３２のセクタフォーマットの詳細を示すフォーマット構成図である。
【００６１】
１セクタはヘッダ３１（ＩＤａ、ＩＤｂ）と情報記録部３２のトータルで２６９７Ｂｙｔｅ（以下Ｂと表記）である。実際に情報の記録が行われる記録情報部３２は、ＧＵＡＲＤ１部（２０＋ｉＢ）、ＶＦＯ部（３５Ｂ）、ＰＳ部（３Ｂ）、ＤＡＴＡ部（２４１８Ｂ）、ＰＡ部（１Ｂ）、ＧＵＡＲＤ２部（５５−ｉＢ）部からなる。このうちＤＡＴＡ部２４１８Ｂは図１のＲＯＭ部のフォーマットと同様であり、ＳＹ１部（２Ｂ）とＤＡＴＡ１（９１Ｂ）、ＳＹ２部（２Ｂ）とＤＡＴＡ２（９１Ｂ）、・・・、ＳＹ２６部（２Ｂ）とＤＡＴＡ２６（９１Ｂ）が組になったもので構成されている。ヘッダ３１は、ＩＤａがＩＤ１（４６Ｂ）、ＩＤ２（１８Ｂ）、ＩＤｂがＩＤ３（４６Ｂ）、ＩＤ４（１８Ｂ）から構成されている。また、ＭＩＲＲＯＲ部（２Ｂ）、ＧＡＰ部（１０＋ｊ／１６Ｂ）およびＢＵＦＦＥＲ部（２５−ｊ／１６Ｂ）には、意味のある情報は記録されない。ｉは０から７の整数で、ｊは０から１６までの整数である。
【００６２】
ＩＤ１から４はセクタのアドレスを認識するためのものであり、また、続いてくる案内トラックがグルーブかランドかを識別するためにも使用できる。ＭＩＲＲＯＲ部、ＧＡＰ部は記録時のレーザパワーを調整するために用いられる領域である。また、ＢＵＦＦＥＲ部では、光ディスク回転変動や光ディスク偏心に基づく記録するデータの時間軸方向のずれを調整するためのものである。ＧＵＡＲＤ１部、ＧＵＡＲＤ２部は、データの繰り返し記録によるデータの始端及び終端からの劣化を保護するためのものである。ＶＦＯ部は再生時に再生クロックを作るＰＬＬ回路の動作を助けるためのものである。ＰＳ部はデータの最初であることを示すためのものであり、ＰＡ部は記録時に行うデータ変調において、セクタ毎の最後のデータを完結させるために必要なデータを記録する部分である。
図９はＲＯＭ部２とＲＡＭ部３の境界領域における拡大図である。
【００６３】
図９で示すように、遷移領域はウォブル信号を含む連続トラック（ヘッダのないトラック）で構成する場合と、今まで説明してきたＲＡＭ部３と同様で、ヘッダを含む構成にすることが考えられる。どちらの場合でも記録処理を行うための処理クロックを生成することは可能である。
【００６４】
このように構成されたＲＡＭ部３での各ゾーンのセクタ数は、内周から外周になるにつれて、１セクタずつ増える。この様なゾーンフォーマットの目的は、１周の長さが相互に異なる各ゾーンのいずれにおいても、ユーザーデータの１ビットに対する必要なディスク上の記録再生長（以下ビット長）をほぼ同じにして、記録容量を増やすことにある。これに伴って、各ゾーン毎に、ディスクの回転数を変更して、外側のゾーン程、ディスクの回転数を上げ、各ゾーンのいずれにおいても、一定回転制御を行い、記録及び再生されるビット長を略一定にする。１つのゾーンにおいて、最内周のトラック長と最外周のトラック長が異なるので、実際にはビット長が僅かに変化するが、この変化の分は、ビット長の記録及び再生に伴う該ビット長の許容誤差範囲に収まる。
【００６５】
この様な構成においては、シークするに際し、あらかじめどのゾーンにシークするかが分かっていれば、ディスクの回転速度を該ゾーンに対応する回転速度に速やかに立ち上げることができるというメリットがある。また、本実施形態のディスクでは、各ゾーン毎のトラック数が等しいので、現在のセクタアドレスからシーク先のセクタアドレスへとシークするには、何本のトラックをジャンプすれば良いか、あるいはそのトラック数から容易にシーク先のゾーンがわかる。
【００６６】
また、本実施形態のディスクの原盤をカッティングする場合、通常、モータは一定回転に制御し、各ゾーン毎に、記録する信号のビットレートをコントロールしてビット長をおよそ一定に保つ。したがって、ゾーンとゾーンの切り替わり目でビットレートを切り換える必要があり、このためにトラック数をカウントしてそのカウントアップの信号でビットレートを切り換える。各ゾーン毎のトラック数が等しい方が、この制御を行い易く、回路も簡単に構成できる。
図１０は、本発明の第３実施形態におけるＲＯＭ部、ＲＡＭ部共存光ディスクの概略図を示している。第２実施形態と違うところは、ＲＯＭ部２が予備データ部５１とユーザデータ部５２から構成されており、予備データ部５１は、すべてのセクタの先頭が放射状に並び、ユーザデータ部５２はゾーンに分かれ、各ゾーン内ですべてのセクタ４の先頭が放射状に並んでいる。また、第１実施形態でも説明したように、ＲＯＭ部２のセクタ４の先頭にはセクタアドレス６が入っているので、ユーザデータ部５２の各セクタは、必ずしも第１および第２実施形態のＲＡＭ部３のようにヘッダを必要としない。ユーザデータ部５２においては、セクタをヘッダの冗長ビットを除いた図１のＲＯＭ部２と同じフォーマットのものにすると、第２実施形態に示すディスクと同じ位置付け（半径位置）のゾーンでも、そこがＲＡＭ部３とＲＯＭ部２の場合ではＲＯＭ部２の場合の方が、より多くのセクタに割り振ることが出来る。
【００６７】
このディスクの目的は、何らかのコンテンツをＲＯＭ部２のデータ領域にカッティングし、そのコンテンツの入ったＲＯＭ部２と書換可能なＲＡＭ部３を合わせて持つことにある。このディスクは、例えばゲームのコンテンツに対して、そのゲームに必要なユーザ独自のデータ領域を簡単に持つことが出来たり、ＲＡＭ部３にユーザ所望の映像を取り込み、コンテンツのキャラクタ等に合成したりもできる。また、同じコンテンツが入ったディスクでもディーラ等が所望の形で付加価値を付けることが出来る。ＲＯＭ部２、ＲＡＭ部３に関わらず、各ゾーン毎のトラック数は等しいのでカッティングにおよびシークに関しては第２実施形態と同じ効果がある。
【００６８】
図１１は、本発明の第４実施形態におけるＲＯＭ部、ＲＡＭ部共存光ディスクの概略図を示している。第３実施形態と違うところは、ＲＯＭ部２のユーザデータ部５２も完全に図４のＲＡＭ部３と同じセクタフォーマット（図８）で構成するところである。
【００６９】
本実施形態においては、前述のようにＲＯＭ部２のユーザデータ部５２も完全にＲＡＭ部３と同じセクタフォーマットで構成するので、あらゆる位置でのセクタアドレスは、第２実施形態におけるディスクと全く同じに出来る。この場合のメリットは、コンテンツ入りのＲＯＭ部、ＲＡＭ部共存ディスクをドライブで再生する場合、ドライブは第２実施形態のディスクの場合とほとんど変更なく再生することができる。
【００７０】
図１２は、ＲＡＭ部２とＲＯＭ部３の切り替わり目のセクタアドレスのつなぎを説明する構成図である。
【００７１】
また、本実施形態、あるいは第１乃至第３実施形態でも、ＲＯＭ部２とＲＡＭ部３のセクタアドレスが連続アドレスになっていると、データの管理が非常にやりやすく、また、シーク時のトラブルも起こらない。もし、ＲＯＭ部２とＲＡＭ部３でセクタアドレスが重複したり、中飛びしたりしていると、ユーザがそのアドレスを指定してしまったときなどにトラブルがおこる。
【００７２】
また、予備データ部にＲＯＭ部とＲＡＭ部の境界を識別するデータが記録されていると、トラッキング方法および記録及び再生信号のゲイン等の切り替えがスムーズに行える。高密度のＲＯＭ部、ＲＡＭ部共存ディスクでは、ＲＯＭ部はピットがあらかじめ存在するので、位相差法あるいは３ビーム法でトラッキングをかけ、ＲＡＭ部は記録されてない領域があるので、プッシュプル法でトラッキングをかけなくてはいけない。したがって、その境界がわかるデータがリードインのコントロール部に記録されていれば、その切り替えがスムーズに行える。
【００７３】
なお、本発明では、図を簡単化するために第１及び第２実施形態ではＲＯＭ部の１周のセクタ数を１０、ＲＡＭ部全体あるいはＲＡＭ部第１ゾーンの１周のセクタ数を９にして説明したが、第１実施形態では、ＲＯＭ部の方がＲＡＭ部よりセクタ数が多ければ、また、第２実施形態では、セクタ数は整数であれば、いくらでも良い。
【００７４】
また、第３実施形態では、ＲＯＭ部の１周のセクタ数をリードインで１０、第１および第２ゾーンでは１１、および１２で、ＲＡＭ部第１ゾーンの１周のセクタ数を１１に設定したが、セクタ数は整数であれば、いくらでも良い。
【００７５】
また、第４実施形態では、ＲＯＭ部の１周のセクタ数をリードインで１０、第１および第２ゾーンでは９、および１０で、ＲＡＭ部第１ゾーンの１周のセクタ数を１１に設定したが、セクタ数は整数であれば、いくらでも良い。また、ＲＯＭ部、ＲＡＭ部のゾーン数もまた整数であれば良い。
【００７６】
次の表は、本発明のディスクを適用したＲＯＭ部、ＲＡＭ部共用ディスクの具体例を示す図表である。この具体例のディスクは、基本的には、第２実施形態のディスクと同様の構成である。
【００７７】
次の表において、ＲＯＭ部、未記録部、及びＲＡＭ部の一部分は、リードイン領域を形成する。また、ＲＡＭ部の他の部分は、データ領域及びリードアウト領域を形成する。リードイン領域に含まれるＲＡＭ部の一部分とゾーン０は、実質的に１つのゾーンを形成しており、１８８８本のトラックを有し、各トラック毎に、１７のセクタを有する。ゾーン１は、１８８８本のトラックを有し、各トラック毎に、１８のセクタを有する。更に外側の他の各ゾーン２〜２３については、トラックの本数が共通しているが、外側になる程、セクタの数が１つずつ増加している。最も外側には、リードアウト領域が設定されている。
【００７８】
ＲＯＭ部には、予備データが予め記録されている。未記録部は、ミラーのデータ未記録領域である。リードイン領域に含まれるＲＡＭ部の一部分には、ディスクの記録時に、欠陥管理情報等の予備データが必要に応じて記録される。リードアウト領域には、予備データが予め記録されている。
【００７９】
【表１】
0004062377.tif 000002
図１３は本発明の第５実施形態のディスク記録装置を示すブロック図である。このディスク記録装置は、第２実施形態で説明した光ディスクの原盤を記録するものである。
【００８０】
図１３において６０は原盤ディスク、６１は原盤ディスク６０を感光するレーザ光源、６２はレーザ光源６１からの光ビームをＲＯＭ部のピットを形成する光ビームと、ＲＡＭ部の溝とヘッダーを形成する光ビームの２つの光ビームに分割する光ビーム分割手段、６３−１、６３−２はミラー、６４はＲＯＭ部のピットを形成する光ビームを変調する第１光変調手段、６５は入力される記録データに基づいて第１光変調手段６４を制御する第１制御手段、６６はＲＡＭ部の溝とヘッダーを形成する光ビームを変調する第２光変調手段、６７は入力される記録データに基づいて第２光変調手段６６を制御する第２制御手段と、６８は第２光変調手段６６から出力される光ビームをトラック方向と直角方向に偏向させる光ビーム偏向手段、６９は光ビーム偏向手段６８を制御する光ビーム偏向制御手段、７０は第１光変調手段６４からの光ビームを成形する第１ビーム成形手段、７１は光ビーム偏向手段６８からの光ビームを成形する第２ビーム成形手段、７２は第１ビーム成形手段７０からの光ビームと第２ビーム成形手段７１からの光ビームとを光軸を一致させて対物レンズに入射させる光ビーム合成手段、７３は光ビーム合成手段７２からの光ビームを集光する対物レンズ、７４は原盤ディスクを回転させるスピンドルモータ、７５はスピンドルモータ７４を制御するモータ制御手段、７６はモータ制御手段７５からの１回転同期信号を基準に第１および第２制御手段６５、６７および光ビーム偏向制御手段６９のタイミングを制御するタイミング制御手段である。７７は例えば図示しない外部ハードディスクとのＳＣＳＩインターフェース、７８はＳＣＳＩインターフェース７７の制御を行い、図示しない外部ハードディスクから第１および第２制御手段６５、６７のメモリに記録データを入力するＳＰＣ（ＳＣＳＩプロトコルコントローラ）である。
【００８１】
また、第１制御手段６５は、ＳＰＣ７８からのデータを一旦蓄積するメモリ１０１と、ＲＯＭ部をカッティングするときの記録データ１ビットの周期のクロック（以下、ＲＯＭ部のチャネルクロック）を発生するクロック発生器１０２と、メモリ１０１からのバイトデータをクロック発生器１０２の発生するクロックでパラレル・シリアル変換するＰ／Ｓ変換器１０３、Ｐ／Ｓ変換器１０３でシリアル信号になったＲＯＭ部のレーザＯＮ／ＯＦＦ信号の”１”と”０”のデューティーコントロールを行う第１デューティー制御手段１０４とから構成されており、さらに、第１デューティー制御手段１０４はディレーライン１０５と論理積１０６で構成されている。
【００８２】
また、第２制御手段６７はＲＡＭ部の各ゾーンに対応したＲＡＭ部をカッティングするときの記録データ１ビットの周期のクロックを順次発生する（以下、ＲＡＭ部のチャネルクロック）プログラマブルシンセサイザ１１１と、ＳＰＣ７８からのデータを一旦蓄積するメモリ１１２と、メモリ１１２からのバイトデータをプログラマブルシンセサイザ１１１の発生するクロックでパラレル・シリアル変換するＰ／Ｓ変換器１１３と、Ｐ／Ｓ変換器１１３でシリアル信号になったＲＡＭ部のヘッダ部分のレーザＯＮ／ＯＦＦ信号の”１”と”０”のデューティーコントロールを行う第２デューティー制御手段１１４と、第２デューティー制御手段１１４からのＲＡＭ部のヘッダ部分のレーザＯＮ／ＯＦＦ信号の振幅を調整するヘッダ部振幅調整手段１１５とから構成されており、さらに、第２デューティー制御手段１１４はタイミング制御手段７６の制御によりＲＡＭ部の各ゾーンに対応したディレー量を出力するＲＯＭ１１６と、このＲＯＭ１１６からのディレー量に基づいてＰ／Ｓ変換器１１３からのレーザＯＮ／ＯＦＦ信号を遅延させるプログラマブルディレーライン１１７と論理積１１８で構成されている。
【００８３】
また、光ビーム偏向制御手段６９はプログラマブルシンセサイザ１１１からのＲＡＭ部のチャネルクロックとタイミング制御手段７６からのリセット信号によってウォブル信号を発生させるためのデータが記録されているウォブルＲＯＭ１２２のアドレスを周期的に与えるウォブルカウンタ１２１と、ウォブルＲＯＭ１２２、ウォブルＲＯＭ１２２からのデータをデジタル・アナログ変換して正弦波状のウォブル信号を発生させるＤ／Ａコンバータ１２３と、ＲＡＭ部のヘッダ部分の信号をトラックと垂直方向に１／２トラックピッチずつずらすためのタイミング信号を作成する差動アンプ１２４と、差動アンプ１２４の出力信号と、Ｄ／Ａコンバータ１２３からのウォブル信号とを切り換える信号を作成するＮＯＴ回路１２５、１２６と論理積１２７と、その切り替えを実際に行うセレクタ１２８とから構成されている。
【００８４】
図１４はＲＯＭ部のカッティング動作を説明するタイミング図、図１５は第１デューティー制御手段１０４の動作を説明するタイミング図、図１６はＲＡＭ部のカッティング動作を説明するタイミング図、図１７は第２デューティー制御手段１１４の動作を説明するタイミング図である。
以下、図１３から図１７を用いてカッティング動作を説明する。
【００８５】
スピンドルモータ７４に取り付けられた原盤ディスク６０を一定回転制御（ＣＡＶ制御）で回転させ、図示しない搬送系で対物レンズ７３を半径方向に送りながら、ディスク原盤６０にＲＯＭ部およびＲＡＭ部をスパイラル状に形成する。
【００８６】
まず、光学系の動作から説明する。レーザ光源６１から放射した光ビーム２０１は光ビーム分割手段６２によって２つの光ビーム２０２と２０３に２分割される。光ビーム２０２はＲＯＭ部のピットを記録するためのものであり、光ビーム２０３はＲＡＭ部のヘッダおよび溝を記録するためのものである。光ビーム２０２は第１制御手段６５から出力されるＲＯＭ部のレーザＯＮ／ＯＦＦ信号３０５に基づいて第１光変調手段６４で光強度変調される。光ビーム２０３はミラー６３−１で反射され、第２制御手段６７から出力されるＲＡＭ部のレーザＯＮ／ＯＦＦ信号３０８に基づいて第２光変調手段６６で光強度変調される。光強度変調され、ミラー６３−２で反射された光ビーム２０５は光ビーム偏向制御手段６９から出力される信号３１５に基づき、光ビーム偏向手段６８によってＲＡＭ部のヘッダのＩＤａ（図５）が外周側に半トラック分、（図５）ＩＤｂが内周側に半トラック分偏向され、また、グルーブ（溝）のカッティングの時には半径方向に正弦波状にウォブルするように偏向される。第１光変調手段６４で光強度変調され第１ビーム成形手段７０でビームの形を成形された光ビーム２０４と、光ビーム偏向手段６８によって偏向され第２ビーム成形手段７１でビームの形を成形された光ビーム２０６は、光ビーム合成手段７２で光ビームがほぼ一致するように合成されて対物レンズ７３に入射され、集光されて原盤ディスク６０のフォトレジストを所望のフォーマットで感光する。
【００８７】
次に、各制御手段の動作を説明する。まずはＲＯＭ部から説明する。図１４のモータ制御手段７５から出力される信号３０１はスピンドルモータ７４の１回転同期信号であり、このモータの場合例えば４０９６個のＦＧパルスで１回転している。タイミング制御手段７６から出力される信号３０２はＲＯＭ部の先頭に１回、ＲＡＭの先頭および各ゾーンの先頭で１回ずつ出力される信号である。Ｐ／Ｓ変換器１０３から出力される信号３０３はデューティー制御する前のＲＯＭ部のレーザＯＮ／ＯＦＦ信号である。
【００８８】
ユーザからカッティング開始が指令されると最初の信号３０１に同期して信号３０２が出力され、それと同時にあらかじめＳＣＳＩインターフェース７７を介してＳＰＣ７８からメモリ１０１へ書き込まれたカッティングデータがＲＯＭ部のチャネルクロックのＮ倍に同期して読み出され、そのバイトデータをＰ／Ｓ変換器１０３がクロック発生器１０２からのチャネルクロックでシリアルデータに変換して信号３０３が出力され、ＲＯＭ部のピットの記録が開始されて指定されたアドレスのセクタから順次記録される。この信号３０３を拡大したのが図１５であり、信号３０３がディレーライン１０５によって、あらかじめ設定されたディレー量に基づき信号３０３をｔｄだけ遅延させた信号３０４を出力し、論理積１０６で信号３０３と３０４の論理積が取られて”１”（レーザＯＮ）の区間が減った信号３０５が第１光変調手段６４へ入力される。
【００８９】
ここで、スピンドルモータ７４の１回転同期信号３０１とクロック発生器１０２のチャネルクロックとの関係を説明する。図４に示すディスクはＲＯＭ部が１周につき１０セクタに分割されているのでそれに従って説明すると、ＲＯＭの１セクタに記録されるＲＯＭのチャネルクロック数の１０倍のチャネルクロック数に実際にクロック発生器１０２から出力されるクロックの１周期を掛けた合計の時間と、スピンドルモータ７４の１回転同期信号３０１の１周期の時間が等しくなるようなチャネルクロックを発生するようにクロック発生器１０２の周波数の選択を行うか、あるいはシンセサイザを使用するならその周波数を設定すれば、ＲＯＭ部のセクタの先頭は常に放射状に揃った状態でカッティングできる。
【００９０】
なお、本発明では図を簡単化するためにＲＯＭ部の１周のセクタ数を１０にして説明したが、セクタ数は整数であれば、いくらでも良い。
【００９１】
また、図９に示すデータ未記録領域のミラー部を形成するために、図１４に示すように１回転同期信号８個分（８トラック分）は記録信号は出力されない。このミラー部が終了するとＲＡＭ部のカッティングが開始される。このミラー部終了とともにＲＡＭ部の先頭で１回転同期信号３０１と同期して再び信号３０２が出力される。この信号の入力とともに第２制御手段６７が動作を開始する。この動作を図１６を用いて説明する。
【００９２】
ＲＡＭ部の先頭で１回転同期信号３０１と同期して再び信号３０２が出力されると、それと同時にあらかじめＳＣＳＩインターフェース７７を介してＳＰＣ７８からメモリ１１２へ書き込まれたＲＡＭ部のヘッダ部分のカッティングデータがＲＡＭ部第１ゾーンのチャネルクロックのＮ倍に同期して読み出され、そのバイトデータをＰ／Ｓ変換器１１３がプログラマブルシンセサイザ１１１の出力するＲＡＭ部第１ゾーンのチャネルクロックでシリアルデータに変換して信号３０７が出力され、ＲＡＭ部のヘッダ部分の記録が開始されて指定されたアドレスのセクタから順次記録される。この信号３０７を拡大したのが信号３０７（拡大）であり、信号３０７がプログラマブルディレーライン１１７によって、後述する方法で設定された第１ゾーンに対応したディレー量に基づき信号３０７をｔｄだけ遅延させた信号３０９を出力し、論理積１１８で信号３０７と３０９の論理積が取られて”１”（レーザＯＮ）の区間が減った信号がヘッダ部振幅調整手段１１５に入力される。ヘッダ部振幅調整手段１１５は後述する動作で光ビーム偏向制御手段６９で作成されるヘッダの時だけ”０”の信号３１０によって制御され、その”０”の時だけ振幅が減った信号を作成すると同時にタイミング制御手段７６から入力されるグルーブ部の時に”１”（レーザＯＮ）になる信号３０６との論理和をとって、ヘッダ部でデューティー制御と振幅調整されグルーブ部で”１”になる信号３０８（拡大）が第２光変調手段６６へ入力され、そのデューティと振幅で光強度変調され、ヘッダ部とグルーブ部がカッティングされる。
【００９３】
ここで、プログラマブルシンセサイザ１１１と第２デューティー制御手段１１４がＲＡＭ部でゾーンが切り替わったときに各ゾーンに対応した動作をする事を図１７で説明する。プログラマブルシンセサイザ１１１と第２デューティー制御手段１１４にはタイミング制御手段７６から、現在カッティングしているゾーンを基準に次に来るゾーンを示す信号３１６と各ゾーンの先頭で出る信号３０２が入力されており、ＲＯＭ１１６からはあらかじめ設定された各ゾーンに対応したディレー量のデータのうち、信号３１６の示す、次に来るゾーンのディレー量設定データがプログラマブルディレーライン１１７に入力され、次のゾーンの先頭で入力される信号３０２でプログラマブルディレーライン１１７にセットされる。プログラマブルシンセサイザ１１１も同様の動作をする。プログラマブルシンセサイザ１１１は２つの発信源を持っており１つの発信源は現在カッティング中のチャネルクロックを出力しており、もう一方は次に来るゾーンを示す信号３１６で次のゾーンのチャネルクロックを発振している。それを、次のゾーンの先頭ででる信号３０２で切り換えてトグル動作で、常に各ゾーンに対応したチャネルクロックを出力することが出来る。
【００９４】
このゾーンの切り替えはスピンドルモータ７４の１回転同期信号３０１を例えば１ゾーン１８８８カウントして次のゾーンに移る。本発明のディスクによるとこのカウント値がどのゾーンでも同じなので、カウンタの構成は簡単にできる。
【００９５】
一方、同時に光ビーム偏向制御手段６９にはタイミング制御手段７６からウォブルカウンタ１２１をリセットする信号３０６とＩＤａ（図５）の時だけ”１”になる信号３１１とＩＤｂ（図５）の時だけ”１”になる信号３１２が入力されており、差動アンプ１２４で信号３１１と信号３１２の差動がとられ、ヘッダ部のＩＤａの時だけ中間値より低く、ヘッダ部のＩＤｂの時だけ中間値より高く、その中間値との電位差がほぼ等しく設定された信号３１３が出力される。また、グルーブ部の時だけ”１”になる信号３０６でリセットされ、グルーブが開始されると同時にウォブルカウンタ１２１がプログラマブルシンセサイザ１１１から入力されるＲＡＭ部のチャネルクロックでカウントアップされ、１８６チャネルビット周期でリセットがかかり巡回して周期的にカウントされている。このカウント信号がウォブルＲＯＭ１２２に入力され、正弦波状のデータがデジタルデータで出力され、それをＤ／Ａコンバータ１２３でデジタル・アナログ変換してグルーブ部の時だけ正弦波状の波形を出力するウォブル信号３１４を出力する。また、この信号３１４のオフセット電圧は信号３１３の中間値の電位と同電位に調整しておく。そして、ＮＯＴ回路１２５、１２６および論理積１２７で作成されたヘッダ部の時だけ”０”になる信号３１０がセレクタ１２８を制御し、セレクタ１２８はヘッダ部の部分は信号３１３をグルーブ部の部分は信号３１４を選択して光ビーム偏向手段６８に信号３１５を入力する。光ビーム偏向手段６８では、中間値より低い電位が入力されるＩＤａの時に外周側へ半トラック分だけビームを振り、中間値より高い電位が入力されるＩＤｂの時には内周側へ半トラック分だけビームを振り、またグルーブ部の時は正弦波状にビームを振って、ＲＡＭ部のヘッダ部とグルーブ部がカッティングされる。
【００９６】
なお、図１６にも示すようにＲＡＭ部のランド部では記録信号は出力されず、１トラック分だけスピンドルモータ７４を回転し、対物レンズ７３が１トラック分だけ外周に送られる。いわゆる１周空送りを行う。
ここで、図４に示すディスクはＲＡＭ部の第１ゾーンが１周につき９セクタに分割されているのでそれに従って説明すると、ＲＡＭ部の１セクタに記録されるＲＡＭのチャネルクロック数の９倍のチャネルクロック数に実際にプログラマブルシンセサイザ１１１から出力されるクロックの１周期を掛けた合計の時間と、スピンドルモータ７４の１回転同期信号３０１の１周期の時間が等しくなるようなチャネルクロックを発生するようにプログラマブルシンセサイザ１１１の周波数を設定すれば、ＲＡＭ部第１ゾーンのセクタの先頭は常に放射状に揃った状態でカッティングされる。第２ゾーンからリードアウトまでも同様の動作でＲＡＭ部各ゾーンのセクタの先頭は常に放射状に揃った状態でカッティングされる。
【００９７】
また、スピンドルモータ７４の１回転同期信号３０１に同期させてＲＯＭ部の１周の最初のセクタのセクタアドレス、あるいはＲＡＭ部の１周の最初のセクタのヘッダを記録するのでＲＯＭ部もＲＡＭ部も１周に１回は必ずセクタの先頭が揃うように容易にカッティング出来る。
【００９８】
なお、本発明では図を簡単化するためにＲＡＭ部第１ゾーンの１周のセクタ数を９にして説明したが、セクタ数は整数であれば、いくらでも良い。
【００９９】
以上のように動作させることによって第２実施形態で説明したディスクがカッティングできるわけであるが、ここで、デューティー補正の必要性、またＲＯＭ部とＲＡＭ部のヘッダ部で独立にデューティー補正する必要性について説明する。
【０１００】
図１８はデューティー補正の必要性を説明するためのタイミング図である。（ａ）は記録したい所望のピット、（ｂ）は所望のピット（ａ）を得るためのデューティー補正前の記録パルス、（ｃ）は記録レーザのスポット、（ｄ）はデューティー補正前、後の記録パルスで得られるピットであり、網掛けの部分がデューティー補正前の記録パルスで得られるピットで、白い部分がデューティー補正後の記録パルスで得られるピットである。（ｅ）はデューティー補正後の記録パルスであり、網掛けした部分は削られたパルスである。図面からもわかるように、所望の大きさのピット（ａ）を得ようとするとき、記録レーザのスポット（ｃ）が有限の大きさを持つために、与えた記録パルス（ｂ）より大きいピット、（ｄ）の網掛け部分で示すピットが形成される。したがって、所望の大きさのピットを得る場合、あらかじめデューティー補正した記録パルス（ｅ）で記録しなくてはいけない。また、このとき所望の幅の記録パルスを得る方法を説明する。図１９は削ったパルス幅と再生時の最短ピットの振幅の関係を示す線図である。図１９でも示すように、記録パルス幅削り量が大きすぎても、小さすぎても再生時の振幅はベストにならない。この振幅が一番大きくなる記録パルス幅削り量で記録すると、再生時に最もＳ／Ｎの良い信号が得られる。以上、デューティー補正の必要性とその方法について述べたが、次にＲＯＭ部とＲＡＭ部で独立にデューティー補正する必要性について説明する。本実施形態では、ＲＯＭ部とＲＡＭ部で独立に光ビームを設けてカッティングしている。当然、ピットだけをカッティングする光ビームと、溝とピットをカッティングする光ビームではその絞りが違う。したがって、先ほど説明した記録パルス幅削り量のベスト条件が違う。また、本実施形態ではスピンドルモータ７４を一定回転制御してカッティングするので、同じ大きさのピットを記録するパルス幅は内周より外周の方が短くなる。したがって、各ゾーン毎に記録パルス幅削り量を一定の関係で切り換えなくてはいけない。この点からＲＯＭ部とＲＡＭ部で独立にデューティー補正をする必要がある。また、ＲＡＭ部のゾーン間もそれぞれに応じたデューティー補正をする必要がある。
【０１０１】
また、先ほど説明したように、本実施形態のＲＡＭ部では同じ光ビームで溝とピットをカッティングする。デューティー補正をする必要性と同様の理由で、再生時にベストになる溝の幅と、ピットの幅は違う。この溝とピットの場合は第２光変調手段６６でその振幅を変えることにより、原盤ディスク６０に照射される光ビームのパワーを切り換えて、溝もピットも再生時にベストになるようにコントロールする。
【０１０２】
以上の説明で第２実施形態のディスクはカッティング出来る。また、第３実施形態のディスクは第１制御手段６５のクロック発生器１０２を第２制御手段のプログラマブルシンセサイザのように各ゾーンに合わせてクロックを切り換えてやれば容易にカッティングできるし、また、第４実施形態のディスクもこのクロック発生器１０２の制御とＲＯＭ部の予備データ部は第２、第３実施形態と同じフォーマットの記録データを、ユーザデータ部では第２実施形態のＲＡＭ部のフォーマットの記録データをＳＣＳＩインターフェースを介してメモリ１０１へ書き込んでやれば簡単にカッティングできる。
図２０は本発明の第６実施形態のディスク記録装置を示すブロック図である。このディスク記録装置は、第２実施形態で説明した光ディスクの原盤を記録するものである。図２０においては、図１３と同じ構成要素は同じ番号を付し、説明を簡略化する。
【０１０３】
図２０において、４０１はＲＯＭ部のピットおよびＲＡＭ部の溝とヘッダーを形成する光ビームを変調する光変調手段、４０２は入力される記録データに基づいて光変調手段４０１を制御する光変調制御手段、４０３は光ビーム偏向手段６８からの光ビームを成形するビーム成形手段、４０４はビーム成形手段４０３を通過した光ビームの開口制限をＲＯＭ部とＲＡＭ部で切り換える開口制限手段であり、光変調制御手段４０２は第５実施形態の第２制御手段と同じ構成である。
【０１０４】
まず、光学系の動作から説明する。レーザ光源６１から放射した光ビーム５０１はミラー６３−１で反射され、光変調制御手段４０２から出力されるＲＯＭ部およびＲＡＭ部のレーザＯＮ／ＯＦＦ信号３０８に基づいて光変調手段４０１で光強度変調される。光強度変調されミラー６３−２で反射された光ビーム５０２は光ビーム偏向制御手段６９から出力される信号３１５に基づき、光ビーム偏向手段６８によってＲＡＭ部のヘッダのＩＤａが外周側に半トラック分、ＩＤｂが内周側に半トラック分偏向され、また、グルーブ（溝）のカッティングの時には半径方向に正弦波状にウォブルするように偏向される。光ビーム偏向手段６８によって偏向されビーム成形手段４０３でビームの形を成形された光ビーム５０３は、タイミング制御手段７６から出力される信号３５０によって開口制限手段４０４でＲＯＭ部に比べてＲＡＭ部の開口制限の比率を大きくして、ＲＡＭ部の方がスポット径の大きな光ビームになるように制御される。ＲＯＭ部とＲＡＭ部で開口制限がきりかえられた光ビーム５０４は、対物レンズ７３に入射され、集光されて原盤ディスク６０のフォトレジストを所望のフォーマットで感光する。
【０１０５】
次に、各制御手段の動作を説明するが、第５実施形態と違う動作をするところだけを詳細に説明する。第５実施形態では、ＲＯＭ部とＲＡＭ部を違う光ビームでカッティングしているので、光変調手段と光変調制御手段が２つずつあったが、本実施形態では１つの光ビームでカッティングするので、ＲＯＭ部とＲＡＭ部の光変調の制御は光変調手段４０１と光変調制御手段４０２の１組で制御する。上記のように光変調制御手段４０２の構成は図１３の第２制御手段と同じ構成であり、ＲＯＭ部の場合の動作のみ説明する。
【０１０６】
ＲＯＭ部では、ユーザからカッティング開始が指令されると最初の信号３０１の立ち上がりに同期して信号３０２が出力され、それと同時にあらかじめＳＣＳＩインターフェース７７を介してＳＰＣ７８からメモリ１１２へ書き込まれたＲＯＭ部のカッティングデータがＲＯＭ部のチャネルクロックのＮ倍に同期して読み出され、そのバイトデータをＰ／Ｓ変換器１１３がプログラマブルシンセサイザ１１１のチャネルクロックでシリアルデータに変換して信号３０７が出力され、ＲＯＭ部の記録が開始されて指定されたアドレスのセクタから順次記録される。この信号３０７は第５実施形態では、ＲＡＭ部のヘッダ部のカッティングデータしか出力していないが、本実施形態では図１４に示す信号３０３のＲＯＭ部のカッティングデータも出力するようにタイミング制御手段７６によって制御される。図２１にデューティー制御手段１１４の本実施形態での動作を説明するタイミング図を示す。この図２１でわかるように、リセット信号の入力とともにＲＯＭ１１６にはＲＯＭ部のディレー量のデータの入った番地がタイミング制御手段７６から入力され、ＲＯＭ１１６からＲＯＭ部に対応したディレー量がプログラマブルディレーライン１１７に入力され、信号３０２の１番最初の立ち上がりでセットされる。このとき、プログラマブルシンセサイザ１１１も同様の動作でＲＯＭ部に対応したチャネルクロックを出力するように、タイミング制御手段７６によって制御される。
【０１０７】
そして、信号３０７がプログラマブルディレーライン１１７によって、設定されたＲＯＭ部に対応したディレー量に基づき信号３０７をｔｄだけ遅延させた信号３０９を出力し、論理積１１８で信号３０７と３０９の論理積が取られて”１”（レーザＯＮ）の区間が減った信号３０８が光変調手段４０１へ入力され光ビーム５０１を変調する。その後の光変調手段４０１のＲＡＭ部の制御については第５実施形態と同じである。
【０１０８】
また、第５実施形態と同じように、図４に示すディスクはＲＯＭ部が１周につき１０セクタに分割されているのでそれに従って説明すると、ＲＯＭの１セクタに記録されるＲＯＭのチャネルクロック数の１０倍のチャネルクロック数に実際にプログラマブルシンセサイザ１１１から出力されるクロックの１周期を掛けた合計の時間と、スピンドルモータ７４の１回転同期信号３０１の１周期の時間が等しくなるようなチャネルクロックを発生するようにプログラマブルシンセサイザ１１１の周波数を設定すれば、ＲＯＭ部のセクタの先頭は常に放射状に揃った状態でカッティングされる。
【０１０９】
次に、開口制限手段４０４の動作について説明する。開口制限手段４０４には、タイミング制御手段７６から、ＲＡＭ部の先頭で出力される信号３０２の立ち上がりを利用して、ＲＯＭ部の時”０”、ＲＡＭ部の時”１”の信号３５０が作成され、入力される。開口制限手段４０４は、この信号３５０が入力されると”０”のとき開口制限の比率が小さく（ＲＡＭに比べて開口部を大きく）、”１”のとき開口制限の比率が大きく（ＲＯＭに比べて開口部を小さく）なるように動作し、ＲＯＭ部の時は絞られた光ビームがＲＡＭ部の時はＲＯＭ部の時より少し大きめの光ビームが対物レンズ７３に入力され、それぞれ、再生時にジッタあるいはチルトマージンなどの特性がもっとも良くなるようにそれぞれ制御される。また、これと連動してヘッダー部振幅調整手段１１５はこの信号３５０が”０”のときは記録信号の振幅をＲＡＭ部のヘッダ部をカッティングする記録信号より振幅を小さくし、信号３５０が”１”のときは第５実施形態と同様にヘッダ部をカッティングする記録信号の方がグルーブをカッティングする記録信号より振幅を小さくして光変調手段４０１に入力し、開口制限を切り換えるとともに光強度変調してそれぞれ、再生時にジッタあるいはチルトマージンなどの特性がもっとも良くなるように制御する。この記録信号の振幅制御の必要性は、開口部を小さくすると光の透過率が低くなり、本来ＲＯＭ部に比べてより大きな記録パワーを必要とするＲＡＭ部の記録の時に開口制限によって記録パワーが小さくなるところを補うところにある。
【０１１０】
以上に説明した様に、第２実施形態のディスクをカッティングすることができる。また、第３実施形態のディスクは光変調制御手段４０２のプログラマブルシンセサイザ１１１で各ゾーンに合わせてクロックを切り換えてやれば容易にカッティングできるし、また、第４実施形態のディスクもこのプログラマブルシンセサイザ１１１の制御とＲＯＭ部の予備データ部は第２、第３実施形態と同じフォーマットの記録データを、ユーザデータ部では第２実施形態のＲＡＭ部のフォーマットの記録データをＳＣＳＩインターフェースを介してメモリ１１２へ書き込んでやれば簡単にカッティングできる。
【０１１１】
第６実施形態によれば、第５実施形態の効果に加えて、簡単な光学系によって第２実施形態の光ディスクをカッティングすることができる。
【０１１２】
【発明の効果】
以上の説明から明らかな様に、本発明の光ディスク製造方法によれば、ＲＯＭ部（第１記憶領域）とＲＡＭ部（第２記憶領域）の境界部分の１周中に含まれるセクタ数がＲＯＭ部の方がＲＡＭ部より多く、ＲＯＭ部のセクタの先頭が半径方向の少なくとも１つの直線上に並んでいるので、ディスク立ち上げ時間を短く、より大容量のＲＯＭ部を構成することが出来る。
【０１１３】
また、ＲＡＭ部がゾーンに分かれており、ＲＡＭ部のデータ領域の各ゾーンに含まれるトラック数がほぼ等しく、ＲＯＭ部のセクタの先頭が放射状に並んでいるので、ディスク立ち上げ時間を短く、より大容量のＲＡＭ部を構成することができる。またデータ領域の各ゾーンに含まれるトラック数がほぼ等しので、容易にシーク先のゾーンがわかり、モータの回転制御の高速化が図れるとともに、カッティングの際にも記録装置の構成を簡単にできる。
【０１１４】
また、ＲＯＭ部１周中の少なくとも１つのセクタ先頭と、ＲＡＭ部１周中の少なくとも１つのセクタ先頭が半径方向に直線に並んでいる構成としているので、ＲＡＭ部のシークの際に安定したアドレス読みとりが可能になる。
【０１１５】
また、ＲＯＭ部が予備データ部とユーザデータ部から成り、予備データ部はすべてのセクターの先頭が放射状に並び、ユーザデータ部はゾーンに分かれ、各ゾーン内ですべてのセクタの先頭が放射状に並び、また、ＲＡＭ部も各ゾーン内ですべてのセクタの先頭が放射状に並び、かつ、ＲＯＭ部およびＲＡＭ部の各ゾーンに含まれるトラック数がほぼ等しいので、ＤＶＤ−ＲＯＭのフォーマットのコンテンツ等をＲＯＭ部に記録でき、付加価値の高いディスクにできる。
【０１１６】
ＲＯＭ部のゾーンの数とＲＡＭ部のゾーンの数の配分に関わらず、各ゾーンの先頭セクタのアドレスが常に同じであるため、データの管理が簡単にできる。
【０１１７】
予備データ部にＲＯＭ部とＲＡＭ部の境界がわかる情報が記録されているので、フォーカス、トラッキング方法およびゲイン等の切り替えがスムーズに行える。
【０１１８】
また、本発明の光ディスク製造方法によれば、２ビームのうちＲＯＭ部をカッティングする光ビームの変調手段を制御する第１制御手段がＲＯＭ部のセクタの先頭が放射状に揃うように記録信号を生成し、この記録信号で第１光変調手段を制御する構成としているので、ディスク立ち上げ時間を短く、より大容量のＲＯＭ部およびＲＡＭ部を構成できるディスクをカッティングする事が出来る。
【０１１９】
ＲＡＭ部の溝を記録するときに比べてアドレス情報を含むピットを記録する時の方が光ビームの記録パワーを小さくするように制御するので、溝もピットもドライブでの記録、再生時に最適な特性のディスクがカッティングできる。
【０１２０】
ＲＯＭ部とＲＡＭ部で、入力される記録データのオン、オフのデューティー比を各々独立にコントロールする構成としているので、ＲＯＭ部でもＲＡＭ部でもドライブでの記録、再生時に最適な特性のディスクがカッティングできる。
【０１２１】
ＲＯＭ部が予備データ部とユーザデータ部に分かれているときに入力される記録データのオン、オフのデューティー比をゾーン毎にコントロールし、ＲＡＭ部において常に入力される記録データのオン、オフのデューティー比をゾーン毎にコントロールする構成としているので、ＲＯＭ部でもＲＡＭ部でもどのゾーンでも、ドライブでの記録、再生時に最適な特性のディスクがカッティングできる。
【０１２２】
また、本発明の光ディスク製造方法によれば、１ビームでＲＯＭ部をカッティングする場合とＲＡＭ部をカッティングする場合とで開口制限を切り換え、なおかつＲＯＭ部をカッティングする場合に光変調制御手段がＲＯＭ部のセクタの先頭が放射状に揃うように記録信号を生成し、この記録信号で光変調手段を制御するので、ディスク立ち上げ時間を短く、より大容量のＲＯＭ部およびＲＡＭ部を構成できるディスクをより簡単な構成でカッティングする事が出来る。
【図面の簡単な説明】
【図１】本発明の第１実施形態の光ディスクの概略図である。
【図２】第１実施形態の光ディスクのＲＯＭ部の物理形状を示す図である。
【図３】第１実施形態の光ディスク再生時のシーク方法を説明するタイミング図である。
【図４】本発明の第２実施形態の光ディスクの概略図である。
【図５】第２実施形態の光ディスクのＲＡＭ部の構成図である。
【図６】第２実施形態の光ディスクのＲＡＭ部の構成図である。
【図７】第２実施形態の光ディスクのＲＡＭ部のトラックの構成図である。
【図８】第２実施形態の光ディスクのＲＡＭ部のセクタフォーマット構成図である。
【図９】第２実施形態の光ディスクのＲＯＭ部とＲＡＭ部の境界部分の構成図である。
【図１０】本発明の第３実施形態の光ディスクの概略図である。
【図１１】本発明の第４実施形態の光ディスクの概略図である。
【図１２】ＲＯＭ部とＲＡＭ部の境界部分のアドレスの構成図である。
【図１３】本発明の第５実施形態のディスク記録装置を示すブロック図である。
【図１４】第５実施形態のディスク記録装置のＲＯＭ部のカッティング動作を説明するタイミング図である。
【図１５】第５実施形態のディスク記録装置のデューティー制御手段の動作を説明するタイミング図である。
【図１６】第５実施形態のディスク記録装置のＲＡＭ部のカッティング動作を説明するタイミング図である。
【図１７】第５実施形態のディスク記録装置のデューティー制御手段の動作を説明するタイミング図である。
【図１８】デューティー補正の必要性を説明するタイミング図である。
【図１９】記録パルス削り量と再生振幅との関係図である。
【図２０】本発明の第６実施形態のディスク記録装置を示すブロック図である。
【図２１】第６実施形態のディスク記録装置のデューティー制御手段の動作を説明するタイミング図である。
【符合の説明】
１  ディスク
２  ＲＯＭ部
３  ＲＡＭ部
４  セクタ
５  トラック
６  セクタアドレス
７  データ部
１１  ヘッダ
１２  記録部
３３  グルーブ
３４  ランド
６０  原盤ディスク
６１  レーザ光源
６２  光ビーム分割手段
６４  第１の光変調手段
６５  第１の光変調制御手段
６６  第２の光変調手段
６７  第２の光変調制御手段
６８  光ビーム偏向手段
６９  光ビーム偏向制御手段
７０  第１のビーム成形手段
７１  第２のビーム成形手段
７２  光ビーム合成手段
７３  対物レンズ
７４  スピンドルモータ
７５  モータ制御手段
７６  タイミング制御手段
４０４  開口制限手段
【図１】
0004062377.tif 000003
【図２】
0004062377.tif 000004
【図３】
0004062377.tif 000005
【図４】
0004062377.tif 000006
【図５】
0004062377.tif 000007
【図６】
0004062377.tif 000008
【図７】
0004062377.tif 000009
【図８】
0004062377.tif 000010
【図９】
0004062377.tif 000011
【図１０】
0004062377.tif 000012
【図１１】
0004062377.tif 000013
【図１２】
0004062377.tif 000014
【図１３】
0004062377.tif 000015
【図１４】
0004062377.tif 000016
【図１５】
0004062377.tif 000017
【図１６】
0004062377.tif 000018
【図１７】
0004062377.tif 000019
【図１８】
0004062377.tif 000020
【図１９】
0004062377.tif 000021
【図２０】
0004062377.tif 000022
【図２１】
0004062377.tif 000023